(57)【特許請求の範囲】
【請求項１】
ウェブページを表示するユーザ端末と、前記ユーザ端末と通信可能に構成され前記ユーザ端末に表示させる広告情報を生成する広告生成装置とを備える広告表示システムであって、
前記ユーザ端末は、
前記ウェブページを表示する表示部と、
前記表示部に表示されたウェブページ内に含まれるウェブ画像から処理対象となる対象ウェブ画像を選択するユーザ操作を受け付ける入力部と、
前記入力部により受け付けられた前記ユーザ操作により選択された対象ウェブ画像に描画された物品の属性を特定する属性情報を取得するための属性関連情報を前記広告生成装置へ送信する端末側送信部と、
前記広告生成装置から情報を受信する端末側受信部と、
を有し、
前記広告生成装置は、
物品の属性を特定する属性情報と物品の広告情報とを関連付けて記録する記録部を参照可能に構成されており、
前記端末側送信部により送信された属性関連情報を受信する装置側受信部と、
前記装置側受信部により受信された属性関連情報に基づいて前記対象ウェブ画像内に描画された物品の属性を特定する属性情報を取得し、前記記録部を参照して、取得した属性情報に関連付けされた物品の広告情報を取得し、前記ユーザ端末に表示させる広告情報を生成する広告情報生成部と、
前記広告情報生成部により生成された広告情報を前記端末側受信部へ送信する装置側送信部と、
を有し、
前記表示部は、前記端末側受信部により受信された広告情報を、前記対象ウェブ画像を含む前記ウェブページに重畳させて表示する広告表示システム。
【請求項２】
前記入力部は、前記対象ウェブ画像内の選択範囲を選択するユーザ操作を受け付け、
前記端末側送信部は、前記入力部により受け付けられたユーザ操作により選択された選択範囲の位置を特定する情報を前記広告生成装置へ送信し、
前記広告情報生成部は、前記端末側送信部により送信された選択範囲内に描画された物品の属性を特定する属性情報を取得する請求項１に記載の広告表示システム。
【請求項３】
前記入力部は、前記対象ウェブ画像内の選択位置を選択するユーザ操作を受け付け、
前記端末側送信部は、前記入力部により受け付けられたユーザ操作により選択された選択位置を特定する情報を前記広告生成装置へ送信し、
前記広告情報生成部は、前記端末側送信部により送信された選択位置に描画された物品の属性を特定する属性情報を取得する請求項１に記載の広告表示システム。
【請求項４】
前記ユーザ端末は、前記対象ウェブ画像が広告画像であるか否かを、前記対象ウェブ画像に関連付けされたウェブページのリンク情報に基づいて判定し、前記対象ウェブ画像が前記広告画像である場合には、広告情報を表示しない請求項１〜３の何れか一項に記載の広告表示システム。
【請求項５】
前記ユーザ端末は、前記ウェブページのウェブ画像が広告画像であるか否かを、前記ウェブ画像に関連付けされたウェブページのリンク情報に基づいて判定し、前記広告画像である前記ウェブ画像と前記広告画像でない前記ウェブ画像との表示形態を異ならせる請求項１〜４の何れか一項に記載の広告表示システム。
【請求項６】
ウェブページを表示するユーザ端末と、前記ユーザ端末と通信可能に構成されるとともに物品の属性を特定する属性情報と物品の広告情報とを関連付けて記録する記録部を参照可能に構成された広告生成装置とを備える広告表示システムにより実行される広告表示方法であって、
前記ユーザ端末が、
前記ウェブページを表示する第１表示ステップと、
前記第１表示ステップにて表示されたウェブページ内に含まれるウェブ画像から処理対象となる対象ウェブ画像を選択するユーザ操作を受け付ける入力ステップと、
前記入力ステップにて受け付けられた前記ユーザ操作により選択された対象ウェブ画像に描画された物品の属性を特定する属性情報を取得するための属性関連情報を前記広告生成装置へ送信する端末側送信ステップと、
を備え、
前記広告生成装置が、
前記端末側送信ステップにより送信された属性関連情報を受信する装置側受信ステップと、
前記装置側受信ステップにて受信した属性関連情報に基づいて前記対象ウェブ画像内に描画された物品の属性を特定する属性情報を取得し、前記記録部を参照して、前記対象ウェブ画像内に描画された物品の属性を特定する属性情報に関連付けされた物品の広告情報を取得し、前記ユーザ端末に表示させる広告情報を生成する広告情報生成ステップと、
前記広告情報生成ステップにより生成された広告情報を前記ユーザ端末へ送信する装置側送信ステップと、
を備え、
前記ユーザ端末が、前記装置側送信ステップにより送信された広告情報を受信し、受信した広告情報を、前記対象ウェブ画像を含む前記ウェブページに重畳させて表示する第２表示ステップをさらに備える広告表示方法。
【請求項７】
ウェブページを表示するユーザ端末と通信可能に構成され前記ユーザ端末に表示させる広告情報を生成する広告生成装置であって、
物品の属性を特定する属性情報と物品の広告情報とを関連付けて記録する記録部を参照可能に構成されており、
前記ウェブページ内に含まれるウェブ画像のうち処理対象となる対象ウェブ画像に描画された物品の属性を特定する属性情報を取得するための属性関連情報を前記ユーザ端末から受信する装置側受信部と、
前記装置側受信部により受信された属性関連情報に基づいて前記対象ウェブ画像内に描画された物品の属性を特定する属性情報を取得し、前記記録部を参照して、取得した属性情報に関連付けされた物品の広告情報を取得し、前記ユーザ端末に表示させる広告情報を生成する広告情報生成部と、
前記広告情報生成部により生成された広告情報を、前記対象ウェブ画像を含む前記ウェブページに重畳させて表示させるために前記ユーザ端末へ送信する装置側送信部と、
を備える広告生成装置。
【請求項８】
前記広告情報生成部は、前記対象ウェブ画像が広告画像であるか否かを、前記対象ウェブ画像に関連付けされたウェブページのリンク情報に基づいて判定し、前記対象ウェブ画像が前記広告画像である場合には、広告情報を前記ユーザ端末に表示させない請求項７に記載の広告生成装置。
【請求項９】
物品の広告情報を生成する広告生成装置と通信可能に構成されウェブページを表示するユーザ端末を動作させる広告表示プログラムであって、
前記ユーザ端末を、
前記ウェブページを表示する表示部、
前記表示部に表示されたウェブページ内に含まれるウェブ画像から処理対象となる対象ウェブ画像を選択するユーザ操作を受け付ける入力部、
前記入力部により受け付けられた前記ユーザ操作により選択された対象ウェブ画像に描画された物品の属性を特定する属性情報を取得するための属性関連情報を、前記属性関連情報に基づいて取得された前記対象ウェブ画像内に描画された物品の属性を特定する属性情報に関連付けされた物品の広告情報を取得して前記ユーザ端末に表示させる広告情報を生成する前記広告生成装置へ送信する端末側送信部、及び、
前記広告生成装置から広告情報を受信する端末側受信部として機能させるとともに、
前記表示部が前記端末側受信部により受信された広告情報を、前記対象ウェブ画像を含む前記ウェブページに重畳させて表示するように機能させる広告表示プログラム。
【発明の詳細な説明】
【技術分野】
【０００１】
本発明は、広告表示システム、広告表示方法、広告生成装置及び広告表示プログラムに関するものである。
【背景技術】
【０００２】
従来、広告表示システムとして、ユーザ端末により撮影された写真画像に基づいて、その画像に含まれる物品に類似する商品の画像を提示するアプリケーションが知られている（例えば、非特許文献１参照。）。非特許文献１記載のシステムは、ユーザ端末により撮像された画像内の物品を画像認識し、当該物品又は当該物品に類似する物品に関する販売情報等をリスト表示するものである。
【先行技術文献】
【非特許文献】
【０００３】
【非特許文献１】IQ  Engines、「oMoby」、[online]、インターネット<URL:http://omoby.com/pages/index.php>
【発明の概要】
【発明が解決しようとする課題】
【０００４】
しかしながら、非特許文献１記載の広告表示システムにあっては、ユーザ端末によって画像が撮像される必要があるため、ユーザが煩わしいと感じる場合がある。
【０００５】
そこで、本発明は、このような技術課題を解決するためになされたものであって、ユーザに手間を取らせることなく画像に描画された物品の広告情報を提供することができる広告表示システム、広告表示方法、広告生成装置及び広告表示プログラムを提供することを目的とする。
【課題を解決するための手段】
【０００６】
すなわち本発明に係る広告表示システムは、ウェブページを表示するユーザ端末と、前記ユーザ端末と通信可能に構成され前記ユーザ端末に表示させる広告情報を生成する広告生成装置とを備える広告表示システムであって、前記ユーザ端末は、前記ウェブページを表示する表示部と、前記表示部に表示されたウェブページ内に含まれるウェブ画像から処理対象となる対象ウェブ画像を選択するユーザ操作を受け付ける入力部と、前記入力部により受け付けられた前記ユーザ操作により選択された対象ウェブ画像に描画された物品の属性を特定する属性情報を取得するための属性関連情報を前記広告生成装置へ送信する端末側送信部と、前記広告生成装置から情報を受信する端末側受信部と、を有し、前記広告生成装置は、物品の属性を特定する属性情報と物品の広告情報とを関連付けて記録する記録部を参照可能に構成されており、前記端末側送信部により送信された属性関連情報を受信する装置側受信部と、前記装置側受信部により受信された属性関連情報に基づいて前記対象ウェブ画像内に描画された物品の属性を特定する属性情報を取得し、前記記録部を参照して、取得した属性情報に関連付けされた物品の広告情報を取得し、前記ユーザ端末に表示させる広告情報を生成する広告情報生成部と、前記広告情報生成部により生成された広告情報を前記端末側受信部へ送信する装置側送信部と、を有し、前記表示部は、前記端末側受信部により受信された広告情報を、前記対象ウェブ画像を含む前記ウェブページに重畳させて表示することを特徴として構成される。
【０００７】
本発明に係る広告表示システムによれば、ユーザ端末の入力部により、ウェブページ上に表示されているウェブ画像を選択するユーザ操作が入力され、端末側送信部によりユーザ操作により選択された対象ウェブ画像に描画された物品の属性情報を取得するための属性関連情報が広告生成装置へ送信され、広告情報生成部により、属性関連情報に基づいて対象ウェブ画像内に描画された物品の属性情報が取得され、取得された属性情報と記録部に記録された情報とを用いて広告情報が生成され、生成された広告情報が装置側送信部によりユーザ端末へ送信され、ユーザ端末の表示部により広告情報が対象ウェブ画像と重畳しない位置に表示される。このように、ユーザは、ユーザ端末を用いて物品を撮像することなく、ウェブページ閲覧中に画像を選択するだけで、当該画像に描画された物品に関連する広告情報を取得することができる。また、広告情報が当該画像と重畳しない位置に表示されるため、ユーザはウェブ画像と広告情報との両方を一度に閲覧することが可能となる。よって、ユーザに手間を取らせることなく画像に描画された物品の広告情報を提供することができる。
【０００８】
ここで、前記入力部は、前記対象ウェブ画像内の選択範囲を選択するユーザ操作を受け付け、前記端末側送信部は、前記入力部により受け付けられたユーザ操作により選択された選択範囲の位置を特定する情報を前記広告生成装置へ送信し、前記広告情報生成部は、前記端末側送信部により送信された選択範囲内に描画された物品の属性を特定する属性情報を取得してもよい。あるいは、前記入力部は、前記対象ウェブ画像内の選択位置を選択するユーザ操作を受け付け、前記端末側送信部は、前記入力部により受け付けられたユーザ操作により選択された選択位置を特定する情報を前記広告生成装置へ送信し、前記広告情報生成部は、前記端末側送信部により送信された選択位置に描画された物品の属性を特定する属性情報を取得してもよい。このように構成することで、対象ウェブ画像内に複数の物品が表示されている場合であっても、ユーザが希望する物品の広告情報を適切に生成することができる。
【０００９】
また、前記ユーザ端末は、前記対象ウェブ画像が広告画像であるか否かを、前記対象ウェブ画像に関連付けされたウェブページのリンク情報に基づいて判定し、前記対象ウェブ画像が前記広告画像である場合には、広告情報を表示しなくてもよい。このように構成することで、既存の広告の宣伝効果を妨げることを回避しつつ、ユーザに手間を取らせることなく画像に描画された物品の広告情報を提供することができる。
【００１０】
また、前記ユーザ端末は、前記ウェブページのウェブ画像が広告画像であるか否かを、前記ウェブ画像に関連付けされたウェブページのリンク情報に基づいて判定し、前記広告画像である前記ウェブ画像と前記広告画像でない前記ウェブ画像との表示形態を異ならせてもよい。このように構成することで、本発明に係る広告表示システムによって広告情報が提供されるか否かをユーザに対して適切に報知することができる。
【００１１】
また、本発明に係る広告表示方法は、ウェブページを表示するユーザ端末と、前記ユーザ端末と通信可能に構成されるとともに物品の属性を特定する属性情報と物品の広告情報とを関連付けて記録する記録部を参照可能に構成された広告生成装置とを備える広告表示システムにより実行される広告表示方法であって、前記ユーザ端末が、前記ウェブページを表示する第１表示ステップと、前記第１表示ステップにて表示されたウェブページ内に含まれるウェブ画像から処理対象となる対象ウェブ画像を選択するユーザ操作を受け付ける入力ステップと、前記入力ステップにて受け付けられたユーザ操作により選択された対象ウェブ画像に描画された物品の属性を特定する属性情報を取得するための属性関連情報を前記広告生成装置へ送信する端末側送信ステップと、を備え、前記広告生成装置が、前記端末側送信ステップにより送信された属性関連情報を受信する装置側受信ステップと、前記装置側受信ステップにて受信した属性関連情報に基づいて前記対象ウェブ画像内に描画された物品の属性を特定する属性情報を取得し、前記記録部を参照して、前記対象ウェブ画像内に描画された物品の属性を特定する属性情報に関連付けされた物品の広告情報を取得し、前記ユーザ端末に表示させる広告情報を生成する広告情報生成ステップと、前記広告情報生成ステップにより生成された広告情報を前記ユーザ端末へ送信する装置側送信ステップと、を備え、前記ユーザ端末が、前記装置側送信ステップにより送信された広告情報を受信し、受信した広告情報を、前記対象ウェブ画像を含む前記ウェブページに重畳させて表示する第２表示ステップをさらに備えて構成される。
【００１２】
また、本発明に係る広告生成装置は、ウェブページを表示するユーザ端末と通信可能に構成され前記ユーザ端末に表示させる広告情報を生成する広告生成装置であって、物品の属性を特定する属性情報と物品の広告情報とを関連付けて記録する記録部を参照可能に構成されており、前記ウェブページ内に含まれるウェブ画像のうち処理対象となる対象ウェブ画像に描画された物品の属性を特定する属性情報を取得するための属性関連情報を前記ユーザ端末から受信する装置側受信部と、前記装置側受信部により受信された属性関連情報に基づいて前記対象ウェブ画像内に描画された物品の属性を特定する属性情報を取得し、前記記録部を参照して、取得した属性情報に関連付けされた物品の広告情報を取得し、前記ユーザ端末に表示させる広告情報を生成する広告情報生成部と、前記広告情報生成部により生成された広告情報を、前記対象ウェブ画像を含む前記ウェブページに重畳させて表示させるために前記ユーザ端末へ送信する装置側送信部と、を備えて構成される。
【００１３】
さらに、本発明に係る広告表示プログラムは、物品の広告情報を生成する広告生成装置と通信可能に構成されウェブページを表示するユーザ端末を動作させる広告表示プログラムであって、前記ユーザ端末を、前記ウェブページを表示する表示部、前記表示部に表示されたウェブページ内に含まれるウェブ画像から処理対象となる対象ウェブ画像を選択するユーザ操作を受け付ける入力部、前記入力部により受け付けられた前記ユーザ操作により選択された対象ウェブ画像に描画された物品の属性を特定する属性情報を取得するための属性関連情報を、前記属性関連情報に基づいて取得された前記対象ウェブ画像内に描画された物品の属性を特定する属性情報に関連付けされた物品の広告情報を取得して前記ユーザ端末に表示させる広告情報を生成する前記広告生成装置へ送信する端末側送信部、及び、前記広告生成装置から広告情報を受信する端末側受信部として機能させるとともに、前記表示部が前記端末側受信部により受信された広告情報を、前記対象ウェブ画像を含む前記ウェブページに重畳させて表示するように機能させるプログラムとして構成される。
【００１４】
本発明に係る広告表示方法、広告生成装置及び広告表示プログラムによれば、上述した本発明に係る広告表示システムと同様の効果を奏する。
【発明の効果】
【００１５】
本発明によれば、ユーザに手間を取らせることなく画像に描画された物品の広告情報を提供することができる。
【図面の簡単な説明】
【００１６】
【図１】実施形態に係る広告表示システムの構成概要図である。
【図２】実施形態に係る広告表示システムに含まれる装置のハードウェア構成図である。
【図３】実施形態に係る広告表示システムの機能ブロック図である。
【図４】第１実施形態に係る広告表示システムの動作を示すフローチャートである。
【図５】ユーザ端末に表示されたウェブ画像の一例である。
【図６】（Ａ）はユーザ端末の選択の一例を説明する概要図、（Ｂ）は広告情報の表示の一例を説明する概要図である。
【図７】検索データベースに格納されたテーブルの一例であり、（Ａ）は画像と属性情報との対応テーブル、（Ｂ）は属性情報と物品情報との対応テーブル、（Ｃ）は物品情報と広告情報との対応テーブルである。
【図８】検索データベースに格納されたテーブルの一例であり、（Ａ）はテキスト情報と物品情報との対応テーブル、（Ｂ）は物品情報と広告情報との対応テーブルである。
【図９】検索データベースに格納されたテーブルの一例であり、（Ａ）は画像特徴パターンと物品情報との対応テーブル、（Ｂ）は属性情報と物品情報との対応テーブル、（Ｃ）は物品情報と広告情報との対応テーブルである。
【図１０】第２実施形態に係る広告表示システムの機能ブロック図である。
【図１１】図１０に示す広告表示システムの動作を示すフローチャートである。
【図１２】（Ａ）はウェブ画像が分割されている例であり、（Ｂ）はウェブサーバから取得された情報に含まれるテーブルの一例であり、位置情報とテキスト情報との対応テーブルである。
【図１３】第３実施形態に係る広告表示システムの他の動作を示すフローチャートである。
【図１４】（Ａ）はユーザ端末の選択の一例を説明する概要図、（Ｂ）は広告情報の表示の一例を説明する概要図である。
【図１５】（Ａ）はユーザ端末の選択の一例を説明する概要図、（Ｂ）は広告情報の表示の一例を説明する概要図である。
【図１６】ユーザ端末に表示されたウェブページの一例である。
【発明を実施するための形態】
【００１７】
以下、添付図面を参照して本発明の実施形態について説明する。なお、図面の説明において同一の要素には同一の符号を付し、重複する説明を省略する。
【００１８】
（第１実施形態）
本実施形態に係る広告表示システムは、ユーザ端末を用いてウェブページを閲覧している時に当該ユーザ端末へ広告画像を表示させるシステムである。図１に示すように、本実施形態に係る広告表示システム４０は、ショッピングサーバ（広告生成装置）１、ウェブサーバ２及びユーザ端末を備えている。なお、ユーザ端末は１台であってもよいし複数台であってもよい。ここでは便宜上、ユーザ端末３Ａ〜ユーザ端末３Ｃの計３台を図示している。ユーザ端末３Ａ〜ユーザ端末３Ｃの機能は全て同一であるので、以下ではユーザ端末３Ａを例にして説明する。ショッピングサーバ１、ウェブサーバ２及びユーザ端末３Ａはそれぞれインターネットに接続されており、互いに通信可能に構成されている。
【００１９】
図２は、ショッピングサーバ１、ウェブサーバ２及びユーザ端末３Ａのハードウェア構成図である。図２に示すように、ショッピングサーバ１、ウェブサーバ２及びユーザ端末３Ａは、物理的には、ＣＰＵ（Central  Processing  Unit）１００、ＲＯＭ（Read  Only  Memory）１０１及びＲＡＭ（Random  Access  Memory）１０２等の主記憶装置、カメラ又はキーボード等の入力デバイス１０３、ディスプレイ等の出力デバイス１０４、ハードディスク等の補助記憶装置１０５、通信デバイス１０６などを含む通常のコンピュータシステムとして構成される。後述するショッピングサーバ１、ウェブサーバ２及びユーザ端末３Ａの各機能は、ＣＰＵ１００、ＲＯＭ１０１、ＲＡＭ１０２等のハードウェア上に所定のコンピュータソフトウェアを読み込ませることにより、ＣＰＵ１００の制御の元で入力デバイス１０３及び出力デバイス１０４を動作させるとともに、主記憶装置や補助記憶装置１０５におけるデータの読み出し及び書き込みを行うことで実現される。
【００２０】
図３は、ショッピングサーバ１、ウェブサーバ２及びユーザ端末３Ａの機能ブロック図である。図３に示すように、ユーザ端末３Ａは、表示部３１、入力部３２及び通信部３０を備えている。表示部３１は、ウェブページを生成するブラウザ及びウェブページを描画するディスプレイを含み、ウェブページを表示する機能を有する。また、表示部３１は、後述する広告情報をウェブページに重畳させて表示させる機能を有している。例えば、表示部３１は、広告情報を新しいブラウザウインドとしてポップアップさせて表示させる機能を有している。
【００２１】
入力部３２は、ユーザ操作を入力可能に構成されており、例えば、マウス、キーボード、タッチパネル等のハードウェアを介してユーザ操作を受け付ける。入力部３２は、ユーザ操作として、ウェブページの表示を要求する操作、及びウェブページ内に表示された画像（ウェブ画像）に関連する広告情報の表示を要求する操作等を受け付ける機能を有している。例えば、入力部３２は、ウェブページに含まれる複数のウェブ画像のうち、広告情報の表示を要求するウェブ画像の選択操作を受け付ける。入力部３２は、例えば、カーソルをウェブ画像の上に位置させる操作、ウェブ画像のドラッグ操作、又は、ウェブ画像のクリック操作を処理対象のウェブ画像（対象ウェブ画像）を選択した操作として受け付ける。そして、入力部３２は、ユーザ操作がなされたウェブ画像に関する情報を通信部３０へ出力する機能を有している。対象ウェブ画像に関する情報は、当該対象ウェブ画像に描画された物品の属性情報を取得するために用いられる情報（属性関連情報）であり、例えば対象ウェブ画像の参照先を示す参照先アドレスが用いられる。
【００２２】
通信部３０は、送信部（端末側送信部）及び受信部（端末側受信部）として機能し、ショッピングサーバ１との送受信を行うとともに、ウェブサーバ２との送受信を行う。通信部３０は、入力部３２により入力されたウェブページの要求をウェブサーバ２へ送信し、ウェブサーバ２から要求したウェブページを受信する機能を有している。また、通信部３０は、対象ウェブ画像の参照先を示す参照先アドレスをショッピングサーバ１へ送信し、ショッピングサーバ１から広告情報を受信する機能を有している。
【００２３】
ウェブサーバ２は、通信部２０、ウェブ提供部２１及びウェブ情報ＤＢ２２を備えている。通信部２０は、ウェブ端末３Ａとの送受信を行うとともに、ショッピングサーバ１との送受信を行う。ウェブ提供部２１は、通信部２０により受信された、ウェブ端末３Ａからの要求に基づいて、要求に対応されたウェブページをウェブ情報ＤＢ２２に基づいて生成し、生成されたウェブページを通信部２０へ出力する機能を有している。ウェブ情報ＤＢ２２には、例えばＨＴＭＬドキュメントやウェブページに表示される画像等が格納されている。通信部２０は、ウェブ提供部２１から出力された情報をユーザ端末３Ａへ送信する。
【００２４】
ショッピングサーバ１は、通信部１０、画像取得部１１、広告情報生成部１２、検索ＤＢ（記録部）１３及び商品ＤＢ（記録部）１４を備えている。通信部１０は、送信部（装置側送信部）及び受信部（装置側受信部）として機能し、ウェブ端末３Ａとの送受信を行うとともに、ウェブサーバ２との送受信を行う。画像取得部１１は、ユーザ端末３Ａから送信された対象ウェブ画像の参照先を示す参照先アドレス（属性関連情報）に基づいて、対象ウェブ画像を取得する機能を有している。例えば、画像取得部１１は、参照アドレスに基づいてウェブサーバ２へ対象ウェブ画像を要求し、ウェブサーバ２から対象ウェブ画像を取得する。また、画像取得部１１は、取得した対象ウェブ画像を広告情報生成部１２へ出力する機能を有している。
【００２５】
広告情報生成部１２は、参照先アドレス（属性関連情報）に基づいて得られた対象ウェブ画像内に描画された物品の属性情報を取得する機能を有している。広告情報生成部１２は、所定のアルゴリズムを用いて物品の属性情報を取得する。例えば、広告情報生成部１２は、画像認識技術を用いて対象ウェブ画像に描画された物品を認識して物品の属性情報を取得する。属性情報は、物品の商品名又は物品のカテゴリの名称を含み、当該物品を識別する情報である。また、画像認識技術を用いて属性情報を取得する手法としては、例えば、予め物品の属性情報と画像との組み合わせを学習し、学習済みの画像と対象ウェブ画像とをパターンマッチングする手法、予め物品の属性情報と当該物品の画像特徴パターンを学習し、学習済みの画像特徴パターンと対象ウェブ画像の画像特徴パターンとを比較する手法、又は、画像情報から物品に付与された文字情報（テキスト情報）を認識して属性情報を取得する手法が用いられる。広告情報生成部１２は、検索ＤＢ１３を参照して、上記手法で用いる情報を取得する。検索ＤＢ１３には、画像と物品の属性情報とが関連付けされたテーブル、画像特徴パターンと物品の属性情報とが関連付けされたテーブル、又はテキスト情報と属性情報とが関連付けされたテーブルが格納されている。
【００２６】
また、広告情報生成部１２は、物品の属性情報に基づいて、物品の属性情報の下位概念であり物品を一意に特定することができる物品情報を取得し、当該物品に関連する広告情報を生成する機能を有している。例えば、広告情報生成部１２は、商品ＤＢ１４を参照して広告情報の生成に必要な情報を取得する。商品ＤＢ１４には、物品の属性情報と物品情報とが関連付けされたテーブル、及び、物品情報と広告情報とが関連付けされたテーブルが格納されている。なお、広告情報には、物品の画像、商品説明文、在庫数、販売店等の情報が含まれる。広告情報生成部１２は、広告情報を通信部１０へ出力する機能を有している。
【００２７】
次に、本実施形態に係る広告表示システム４０の動作を説明する。図４は、本実施形態に係る広告表示システム４０の動作を示すフローチャートである。図４に示す制御処理は、ユーザ端末３Ａからウェブページの要求がなされたタイミングで実行される。例えば、入力部３２がユーザのウェブページの表示操作を受け付けた場合には、ユーザ端末３Ａの通信部３０はウェブサーバ２へウェブページの要求を送信する（Ｓ１０）。
【００２８】
ウェブサーバ２では、Ｓ１０の処理で送信されたウェブページの要求を通信部２０が受信すると、ウェブ提供部２１が当該要求を満たすウェブページをウェブ情報ＤＢ２２から構築する。そして、ウェブサーバ２の通信部２０は、構築したウェブページを、ウェブページの要求を送信したユーザ端末３Ａへ送信する（Ｓ１２）。
【００２９】
ユーザ端末３Ａでは、Ｓ１２の処理で送信されたウェブページを通信部３０が受信すると、表示部３１が受信されたウェブページを表示する（Ｓ１４：第１表示ステップ）。図５は、ウェブブラウザを用いて表示されたウェブページの一例である。ウェブページＷ１は、物品の画像Ｐ１を含んでいる。入力部３２は、ウェブページＷ１上に位置するマウスカーソルＫの操作情報を取得して対象ウェブ画像となる画像を選択する（Ｓ１６：入力ステップ）。例えば、図６の（Ａ）に示すように、画像Ｐ１の上にマウスカーソルを移動させる操作を取得する。入力部３２は、上記操作によって、ユーザが画像Ｐ１を対象ウェブ画像（ユーザ操作画像）として選択したと判断する。Ｓ１６の処理が終了すると、通信部３０が当該画像Ｐ１のＵＲＬをショッピングサーバ１へ送信する（Ｓ１８：端末側送信ステップ）。
【００３０】
ショッピングサーバ１では、通信部１０がＳ１８の処理で送信されたＵＲＬを受信すると、画像取得部１１がＳ１８の処理で送信されたＵＲＬの画像の要求を出力する（装置側受信ステップ）。通信部１０は、当該要求をウェブサーバ２へ送信する（Ｓ２０）。
【００３１】
ウェブサーバ２では、通信部２０がＳ２０の処理で送信されたＵＲＬを受信すると、ウェブ提供部２１が、ウェブ情報ＤＢ２２に格納された対象ウェブ画像を、当該ＵＲＬに基づいて取得する。通信部２０は、対象ウェブ画像をショッピングサーバ１へ送信する（Ｓ２２）。
【００３２】
ショッピングサーバ１では、通信部１０がＳ２２の処理で送信された対象ウェブ画像を受信する（画像取得ステップ）。そして、広告情報生成部１２が対象ウェブ画像の解析を行う（Ｓ２４：広告情報生成ステップ）。ここでは一例として、画像マッチング技術を用いて対象ウェブ画像の解析を行う場合を説明する。検索ＤＢ１３，商品ＤＢ１４には、図７に示すテーブル及びテーブルに関連する画像が予め格納されているものとする。図７の（Ａ）は、検索ＤＢ１３に格納され、画像と属性情報とが関連付けされたテーブルであり、図７の（Ｂ）は、商品ＤＢ１４に格納され、属性情報と物品情報とが関連付けされたテーブルであり、図７の（Ｃ）は、商品ＤＢ１４に格納され、物品情報と広告情報とが関連付けされたテーブルである。広告情報生成部１２は、図７の（Ａ）に示すテーブルに基づいて、既に学習済みの画像（例えば画像Ｎｏ．１）と対象ウェブ画像とをマッチングする。学習済みの画像を順次マッチングさせ、学習済みの画像と対象ウェブ画像とが一致する場合又は学習済みの画像と対象ウェブ画像とが類似する場合には、当該画像の属性情報を取得する。例えば、画像Ｎｏ．１と対象ウェブ画像が一致した場合、又は、画像Ｎｏ．１の画像特徴量及び対象ウェブ画像の画像特徴量に基づいて画像Ｎｏ．１に描画されたバッグと対象ウェブ画像に描画された物品とが類似すると判定できる場合には、属性情報である「バッグ」をテーブルから取得する。Ｓ２４の処理が終了すると、広告情報生成部１２は、広告情報を生成する（Ｓ２６）。
【００３３】
Ｓ２６の処理では、広告情報生成部１２が、Ｓ２４の処理で取得された属性情報に基づいて、図７の（Ｂ）に示す属性情報と物品情報とが関連付けされたテーブルから物品情報を取得する。例えば、属性情報が「バッグ」である場合には、広告情報生成部１２は、物品情報として「バッグＡ」，「バッグＢ」，「バッグＣ」等を取得する。次に、広告情報生成部１２は、物品情報に基づいて、図７の（Ｃ）に示す物品情報と広告情報とが関連付けされたテーブルから広告情報を取得する。物品情報が「バッグＡ」，「バッグＢ」，「バッグＣ」である場合には、広告情報生成部１２は、広告情報として「広告Ａ」，「広告Ｂ」，「広告Ｃ」を取得する。広告情報生成部１２は、取得した広告情報に基づいて、ユーザ端末３Ａの表示に適した形式に変更した広告情報を生成する。Ｓ２６の処理が終了すると、広告情報送信処理へ移行する（Ｓ２８：装置側送信ステップ）。Ｓ２８の処理では、通信部１０がＳ２６の処理で生成された広告情報をユーザ端末３Ａへ送信する。
【００３４】
ユーザ端末３Ａでは、Ｓ２８の処理で送信された広告情報を受信すると、広告情報を対象ウェブ画像と重畳しない位置に表示する（Ｓ３０：第２表示ステップ）。例えば、図６の（Ｂ）に示すように、対象ウェブ画像Ｐ１の周囲に広告画像Ａ１，Ａ２をポップアップさせて表示させる。ポップアップの形態は何でもよく、例えば、新しいブラウザウインドとして広告画像Ａ１，Ａ２をポップアップさせてもよいし、ブラウザウインドを生成せずにポップアップさせてもよい。また、広告画像Ａ１，Ａ２は小売店舗へのリンクが張られていてもよい。すなわち、広告画像Ａ１，Ａ２に、ユーザ閲覧中のウェブページのドメインとは異なるドメインへのリンクが関連付けされていてもよい。なお、広告画像Ａ１，Ａ２は、対象ウェブ画像Ｐ１に近接した位置（並んだ位置又は隣接した位置）に、かつ、対象ウェブ画像Ｐ１とは重なることなく配置される。Ｓ３０の処理が終了すると、図４に示す一連の動作を終了する。
【００３５】
以上で図４に示す制御処理を終了する。図４に示す制御処理を実行することで、ユーザの意思に基づいて、ウェブページ上に含まれる画像に関連する広告が、当該画像と重畳しない位置に表示される。なお、上述した制御処理では、Ｓ２４に示す対象ウェブ画像の解析処理を、画像マッチング技術を用いて行う場合を説明したが、その他のアルゴリズムを用いてもよい。
【００３６】
例えば、広告情報生成部１２は、画像認識技術を用いて対象ウェブ画像に描画されている物品に付与された商品名やブランド名をテキスト情報として抽出してもよい。検索ＤＢ１３及び商品ＤＢ１４には、図８に示すテーブルが予め格納されているものとする。図８の（Ａ）は、検索ＤＢ１３に格納され、テキスト情報と属性情報とが関連付けされたテーブルであり、図８の（Ｂ）は、商品ＤＢ１４に格納され、属性情報と物品情報とが関連付けされたテーブルであり、図８の（Ｃ）は、商品ＤＢ１４に格納され、物品情報と広告情報とが関連付けされたテーブルである。広告情報生成部１２は、抽出したテキスト情報に基づいて、図８の（Ａ）に示すテーブルを用いて属性情報を特定し、図８の（Ｂ）に示すテーブルを用いて物品情報を特定し、図８の（Ｃ）に示すテーブルを用いて広告情報を取得する。
【００３７】
また、広告情報生成部１２は、画像認識技術を用いて対象ウェブ画像に描画されている物品の特徴パターンを抽出してもよい。検索ＤＢ１３及び商品ＤＢ１４には、図９に示すテーブルが予め格納されているものとする。図９の（Ａ）は、検索ＤＢ１３に格納され、特徴パターンと属性情報とが関連付けされたテーブルであり、図９の（Ｂ）は、商品ＤＢ１４に格納され、属性情報と物品情報とが関連付けされたテーブルであり、図９の（Ｃ）は、商品ＤＢ１４に格納され、物品情報と広告情報とが関連付けされたテーブルである。特徴パターンは、物品の特徴を示す情報であって、例えばバックであれば矩形形状の上部に取手が取り付けられているという情報となる。広告情報生成部１２は、抽出した特徴パターンに基づいて、図９の（Ａ）に示すテーブルを用いて属性情報を特定し、図９の（Ｂ）に示すテーブルを用いて物品情報を特定し、図９の（Ｃ）に示すテーブルを用いて広告情報を取得する。
【００３８】
次に、ショッピングサーバ１を広告生成装置として機能させるための広告生成プログラムを説明する。
【００３９】
広告生成プログラムは、メインモジュール、入力モジュール及び演算処理モジュールを備えている。メインモジュールは、演算処理を統括的に制御する部分である。入力モジュールは、ユーザ端末３Ａ及びウェブサーバ２から情報を取得するようにショッピングサーバ１を動作させる。演算処理モジュールは、画像取得モジュール及び広告情報生成モジュールを備えている。メインモジュール、入力モジュール及び演算処理モジュールを実行させることにより実現される機能は、上述したショッピングサーバ１の画像取得部１１及び広告情報生成部１２の機能とそれぞれ同様である。
【００４０】
広告生成プログラムは、例えば、ＲＯＭ等の記憶媒体または半導体メモリによって提供される。また、広告生成プログラムは、データ信号としてネットワークを介して提供されてもよい。
【００４１】
次に、ウェブページを表示するユーザ端末３Ａを動作させる広告表示プログラムを説明する。
【００４２】
広告表示プログラムは、メインモジュール、入力モジュール及び演算処理モジュールを備えている。メインモジュールは、演算処理を統括的に制御する部分である。入力モジュールは、ショッピングサーバ１及びウェブサーバ２から情報を取得するようにユーザ端末３Ａを動作させる。演算処理モジュールは、表示モジュールを備えている。メインモジュール、入力モジュール及び演算処理モジュールを実行させることにより実現される機能は、上述したユーザ端末３Ａの表示部３１、入力部３２及び通信部３０の機能とそれぞれ同様である。
【００４３】
広告表示プログラムは、例えば、ＲＯＭ等の記憶媒体または半導体メモリによって提供される。また、広告生成プログラムは、データ信号としてネットワークを介して提供されてもよい。また、広告表示プログラムは、ブラウザ用ツールバー、ブラウザ用アドオン、ブラウザそのもの、の何れに実装してもよい。
【００４４】
以上、第１実施形態に係る広告表示システム４０によれば、ユーザ端末３Ａの入力部３２により、ウェブページ上に表示されているウェブ画像を選択するユーザ操作が入力され、通信部３０によりユーザ操作により選択された対象ウェブ画像の参照先アドレスがショッピングサーバ１へ送信され、ショッピングサーバ１の画像取得部１１により参照先アドレスに基づいて対象ウェブ画像が取得され、広告情報生成部１２、検索ＤＢ１３及び商品ＤＢ１４により、対象ウェブ画像内に描画された物品の属性情報を用いて広告情報が生成され、生成された広告情報が通信部１０によりユーザ端末３Ａへ送信され、ユーザ端末３Ａの表示部３１により広告情報が対象ウェブ画像の周囲に表示される。このように、ユーザは、ユーザ端末３Ａを用いて物品を撮像することなく、ウェブページ閲覧中に画像を選択するだけで、当該画像に描画された物品に関連する広告情報を取得することができる。すなわち、広告情報を提示するまでの動線を短くすることができる。また、広告情報が当該画像の周囲に表示されるため、ユーザはウェブ画像と広告情報との両方を一度に閲覧することが可能となる。よって、ユーザに手間を取らせることなく画像に描画された物品の広告情報を提供することができる。
【００４５】
（第２実施形態）
第２実施形態に係る広告表示システム４０は、第１実施形態に係る広告表示システム４０とほぼ同様に構成され、ショッピングサーバ１が属性情報を取得するための画像解析を行わず、ユーザ端末３Ａ側で対象ウェブ画像に描画された物品に関連するテキスト情報（属性関連情報）を取得する点が相違する。以下では、第１実施形態に係る広告表示システム４０と相違する点を中心に説明し、重複する部分の説明は省略する。
【００４６】
最初に、広告表示システム４０の構成について説明する。図１０は、本実施形態に係る広告表示システム４０の機能ブロック図である。
【００４７】
ユーザ端末３Ａは、第１実施形態に係るユーザ端末３Ａとほぼ同様に構成され、テキスト情報取得部３３を備える点が相違する。また、入力部３２及び通信部３０の一部機能が相違する。入力部３２は、ウェブ画像においてユーザ操作により選択されたウェブ画像の選択位置（座標）を入力する機能を有している。また、入力部３２は、選択位置に関する情報をテキスト情報取得部３３へ出力する機能を有している。テキスト情報取得部３３は、ユーザ操作により選択された選択位置に基づいて、選択位置又は選択位置付近に描画された物品に関するテキスト情報を取得する機能を有している。例えば、テキスト情報取得部３３は、ウェブサーバ２から送信された情報（例えばウェブページの配信時に付与される情報）を参照し、選択位置に基づいてテキスト情報を取得する。ウェブサーバ２から送信される情報には、例えば、選択位置とテキスト情報とが関連付けされた情報（テーブル）が含まれている。通信部３０は、テキスト情報をショッピングサーバ１へ送信する機能を有している。ユーザ端末３Ａのその他の構成は、第１実施形態に係るユーザ端末３Ａと同様である。
【００４８】
ショッピングサーバ１は、第１実施形態に係るショッピングサーバ１とほぼ同様に構成され、画像取得部１１を備えない点、及び広告情報生成部１２の一部機能が相違する。広告情報生成部１２は、ユーザ端末３Ａから送信されたテキスト情報（属性関連情報）に基づいて広告情報を生成する機能を有している。ショッピングサーバ１のその他の構成は、第１実施形態に係るショッピングサーバ１と同様である。
【００４９】
次に、本実施形態に係る広告表示システム４０の動作について説明する。図１１は、本実施形態に係る広告表示システム４０の動作を示すフローチャートである。図１１に示すＳ１０に示す処理は、図４に示す第１実施形態に係る広告表示システム４０の処理と同様であるので説明を省略する。
【００５０】
Ｓ１２の処理では、ウェブサーバ２がウェブページをユーザ端末３Ａへ送信する。このとき、選択位置とテキスト情報とが関連付けされた情報も送信される。例えば、ウェブサーバ２は、ウェブ情報ＤＢ２２を参照し、座標位置とテキスト情報とを関連付けしたテーブルに含まれる情報を送信する。Ｓ１４に示す処理は、図４に示す第１実施形態に係る広告表示システム４０の処理と同様であるので説明を省略する。
【００５１】
Ｓ１６の処理では、入力部３２が、ウェブページＷ１上に位置するマウスカーソルＫの位置情報を取得する。以下では、図１２の（Ａ）に示すように、対象ウェブ画像が複数の部分領域Ｅ１〜Ｅ９に分割されて管理されている場合を説明する。入力部３２は、マウスカーソルＫの位置情報に基づいて、ユーザが対象ウェブ画像のどの領域（選択位置）を選択しているのかを取得する。例えば、図１２の（Ａ）のマウスカーソルＫに示す位置に含まれる領域Ｅ４を選択領域として取得する。Ｓ１６の処理が終了すると、テキスト情報取得処理へ移行する（Ｓ１７）。
【００５２】
Ｓ１７の処理では、テキスト情報取得部３３が、Ｓ１２の処理でウェブサーバ２から送信された情報を参照し、Ｓ１６の処理で取得した選択領域に基づいて、テキスト情報を取得する。ここで、ウェブサーバ２から送信された情報の一例を、図１２の（Ｂ）に示す。図１２の（Ｂ）は、選択位置とテキスト情報とが関連付けされたテーブルである。テキスト情報取得部３３は、選択領域に基づいて、図１２の（Ｂ）に示すテーブルを用いてテキスト情報を取得する。例えば、選択位置がＥ４の場合には、商品名Ａを取得する。Ｓ１７の処理が終了すると、送信処理へ移行する（Ｓ１８）。Ｓ１８の処理では、通信部３０がＳ１７の処理で取得されたテキスト情報をショッピングサーバ１へ送信する。
【００５３】
ショッピングサーバ１がテキスト情報を受信すると、広告情報生成処理を開始する（Ｓ２６）。広告情報生成部１２は、受信したテキスト情報に基づいて広告情報を生成する。この処理は、図４に示す第１実施形態の処理（図８に示すテーブルを用いた処理）と同様であるので、説明を省略する。また、Ｓ２８及びＳ３０の処理も、図４に示す第１実施形態に係る広告表示システム４０の処理と同様であるので、説明を省略する。
【００５４】
以上で図１１に示す制御処理を終了する。図１１に示す制御処理を実行することにより、図４に示す制御処理と同様に、ユーザの意思に基づいて、ウェブページ上に含まれる画像に関連する広告が、当該画像と重畳しない位置に表示される。なお、上述した制御処理では、座標位置とテキスト情報とを関連付けしたテーブルがウェブサーバ２のウェブ情報ＤＢ２２に格納されており、当該テーブルに関する情報がユーザ端末３Ａ側へ送信され、当該テーブルを用いてテキスト情報を取得する例を説明したが、その他の方法でテキスト情報を取得してもよい。例えば、ユーザ端末３Ａ側で、画像認識技術を用いて対象ウェブ画像に描画されている物品に付与された商品名やブランド名をテキスト情報として抽出してもよい。
【００５５】
以上、第２実施形態に係る広告表示システム４０によれば、第１実施形態に係る広告表示システムと同様の作用効果を奏する。
【００５６】
（第３実施形態）
第３実施形態に係る広告表示システム４０は、第１実施形態に係る広告表示システム４０とほぼ同様に構成され、ショッピングサーバ１が、ウェブサーバ２から対象ウェブ画像を取得することなく、ユーザ端末３Ａから対象ウェブ画像（属性関連情報）を取得する点が相違する。以下では、第１実施形態に係る広告表示システム４０と相違する点を中心に説明し、重複する部分の説明は省略する。以下では、第１実施形態に係る広告表示システム４０と相違する点を中心に説明し、重複する部分の説明は省略する。
【００５７】
広告表示システム４０の構成は、第１実施形態に係る広告表示システム４０とほぼ同様であり、ショッピングサーバ１が画像取得部１１を備えない点が相違し、その他は同様である。
【００５８】
図１３は、本実施形態に係る広告表示システム４０の動作を示すフローチャートである。図１３に示すＳ１０〜Ｓ１６に示す処理は、図４に示す第１実施形態に係る広告表示システム４０と同様であるので説明を省略する。Ｓ１８の処理において、ユーザ端末３Ａは、Ｓ１６の処理で取得した対象ウェブ画像を、ショッピングサーバ１へ送信する。
【００５９】
ショッピングサーバ１が対象ウェブ画像を受信すると、広告情報生成処理を開始する（Ｓ２６）。広告情報生成部１２は、受信した対象ウェブ画像に基づいて広告情報を生成する。この処理は、図４に示す第１実施形態の処理と同様であるので、説明を省略する。また、Ｓ２８及びＳ３０の処理も、図４に示す第１実施形態に係る広告表示システム４０の処理と同様であるので、説明を省略する。
【００６０】
以上で図１３に示す制御処理を終了する。図１３に示す制御処理を実行することにより、図４に示す制御処理と同様に、ユーザの意思に基づいて、ウェブページ上に含まれる画像に関連する広告が、当該画像と重畳しない位置に表示される。
【００６１】
以上、第３実施形態に係る広告表示システム４０によれば、第１実施形態に係る広告表示システムと同様の作用効果を奏する。
【００６２】
（第４実施形態）
第４実施形態に係る広告表示システム４０は、第１実施形態に係る広告表示システム４０とほぼ同様に構成され、ユーザ端末３Ａの入力部３２の構成が一部相違する。以下では、第１実施形態に係る広告表示システム４０と相違する点を中心に説明し、重複する部分の説明は省略する。
【００６３】
第４実施形態に係る広告表示システム４０のユーザ端末３Ａの入力部３２は、ウェブ画像においてユーザ操作により選択された選択範囲を入力する機能を有している。すなわち、入力部３２は、ユーザ操作により選択された選択範囲の位置情報を入力する機能を有している。例えば、入力部３２は、ウェブ画像をドラッグする操作を受け付けることで、対象ウェブ画像の選択範囲を入力する。図１４の（Ａ）に示すウェブ画像Ｐ２を例として説明すると、入力部３２はユーザ操作によりドラッグされた範囲Ｓ１を選択範囲（部分画像）として受け付ける。
【００６４】
また、入力部３２は、ウェブ画像においてユーザ操作により選択された選択位置を入力する機能を有している。すなわち、入力部３２は、ユーザ操作により選択された選択位置の位置情報を入力する機能を有している。例えば、入力部３２は、ウェブ画像をクリックする操作を受け付けることで、対象ウェブ画像の選択位置を入力する。図１５の（Ａ）に示すウェブ画像Ｐ２を例として説明すると、入力部３２はユーザ操作によりクリックされた位置Ｓ２を選択位置として受け付ける。
【００６５】
ユーザ端末３Ａの通信部３０は、入力部３２により取得された選択範囲又は選択位置をショッピングサーバ１へ送信する。ショッピングサーバ１の通信部１０が選択範囲を受信した場合には、広告情報生成部１２は、対象ウェブ画像の選択範囲内に含まれる物品について画像認識を行い、選択範囲内に含まれる物品の属性情報を取得して、広告情報を生成する。例えば、図１４の（Ａ）に示すように、選択範囲Ｓ１内にバックが描画されているため、図１４の（Ｂ）に示すように、バックに関する広告Ａ１，Ａ２が対象ウェブ画像の周囲に表示される。また、ショッピングサーバ１の通信部１０が選択位置を受信した場合には、広告情報生成部１２は、対象ウェブ画像の画像情報であるコントラスト情報（例えば、画素間のコントラスト差やコントラスト比）を用いて対象ウェブ画像内の物品の輪郭を特定し、物品の輪郭と選択位置とに基づいて、選択位置を含む部分画像（物品の輪郭に囲まれた領域）を取得する。そして、広告情報生成部１２は、部分画像内の物品について画像認識を行い、対象ウェブ画像内の物品の属性情報を取得して、選択範囲内に含まれる物品についての広告情報を生成する。例えば、図１５の（Ａ）に示すように、選択位置Ｓ２は、帽子の輪郭Ｒ１内に含まれるため、図１５の（Ｂ）に示すように、帽子に関する広告Ａ３，Ａ４が対象ウェブ画像の周囲に表示される。
【００６６】
その他の構成及び動作については、第１実施形態に係る広告表示システム４０と同様である。また、上記処理内容は、第１実施形態に係る広告表示システム４０を基準として説明したが、第２又は第３実施形態に係る広告表示システム４０に適用してもよい。
【００６７】
以上、第４実施形態に係る広告表示システム４０によれば、第１及び第２実施形態に係る広告表示システム４０と同様の作用効果を奏するとともに、対象ウェブ画像内に複数の物品が表示されている場合であっても、ユーザが希望する物品の広告情報を適切に生成することができる。
【００６８】
（第５実施形態）
第５実施形態に係る広告表示システム４０は、第１実施形態に係る広告表示システム４０とほぼ同様に構成され、ユーザ端末３Ａの入力部３２及び表示部３１の構成が一部相違する。以下では、第１実施形態に係る広告表示システム４０と相違する点を中心に説明し、重複する部分の説明は省略する。
【００６９】
第５実施形態に係る広告表示システム４０のユーザ端末３Ａの表示部３１は、ウェブページを表示する際に、ウェブ画像が広告画像であるか否かをウェブ画像の参照先アドレスを用いて判定する機能を有している。ここで、広告画像とは、ユーザ閲覧中のウェブページのドメインとは異なるドメインへのリンク（リンク情報）が関連付けされている画像である。そして、表示部３１は、広告画像であるウェブ画像と広告画像でないウェブ画像との表示形態を異ならせて表示する機能を有している。例えば、図１６に示すように、ウェブページＷ２上に、通常の画像Ｐ２と、広告画像Ｐ３，Ｐ４が存在しているとする。この場合、表示部３１は、通常の画像Ｐ２はそのまま表示するとともに、画像Ｐ２の周囲を囲むフレームＦ１を作成して描画する。このように、通常の画像Ｐ２と、広告画像Ｐ３，Ｐ４とをユーザが一目で区別できるように、表示態様を異なるものとする。
【００７０】
また、ユーザ端末３Ａの入力部３２は、ユーザにより選択された対象ウェブ画像が広告画像であるか否かを、対象ウェブ画像に関連付けされたウェブページのリンク情報に基づいて判定する機能を有している。そして、表示部３１は、対象ウェブ画像が広告画像である場合には、広告情報を表示しない。これにより、広告画像の周囲には広告情報が表示されない。
【００７１】
その他の構成及び動作については、第１実施形態に係る広告表示システム４０と同様である。また、上記処理内容は、第１実施形態に係る広告表示システム４０を基準として説明したが、第２〜第５実施形態に係る広告表示システム４０に適用してもよい。
【００７２】
以上、第５実施形態に係る広告表示システム４０によれば、第１〜第３実施形態に係る広告表示システム４０と同様の作用効果を奏するとともに、ユーザ端末３Ａの入力部３２により、対象ウェブ画像の参照先アドレスを用いて対象ウェブ画像が広告画像であるか否かが判定され、対象ウェブ画像が広告画像である場合には、ユーザ操作を受け付けない。このため、既存の広告画像の周囲に広告情報を表示することを防止することができる。したがって、既存の広告の宣伝効果を妨げることを回避しつつ、ユーザに手間を取らせることなく画像に描画された物品の広告情報を提供することができる。
【００７３】
また、第５実施形態に係る広告表示システム４０によれば、表示部３１により対象ウェブ画像の参照先アドレスを用いて対象ウェブ画像が広告画像であるか否かが判定され、広告画像であるウェブ画像と広告画像でないウェブ画像とが異なる表示形態で表示される。このため、広告情報が提供されるか否かをユーザに対して適切に報知することができる。従って、ユーザが意図せず操作した画像に広告情報が表示される等、ユーザが煩わしいと感じる状況を回避することが可能となる。
【００７４】
なお、上述した実施形態は本発明に係る広告表示システム、広告表示方法、広告生成装置及び広告表示プログラムの一例を示すものであり、実施形態に係るシステム、装置、方法、プログラム及び記録媒体に限られるものではなく、変形し、又は他のものに適用したものであってもよい。
【００７５】
例えば、上述した実施形態では、画像認識処理を、ショッピングサーバ１又はウェブサーバ２で実行する例を説明したが、ユーザ端末３Ａ側で実行してもよい。
【００７６】
また、上述した実施形態では、ショッピングサーバ１が検索ＤＢ１３及び商品ＤＢ１４を備える場合を説明したが、ショッピングサーバ１から検索ＤＢ１３及び商品ＤＢ１４が参照可能に構成されていればよい。
【００７７】
また、第４実施形態では、複数の物品が表示された画像の中からユーザが選択した物品に関する広告情報を表示する例を説明したが、対象ウェブ画像に複数の物品が表示されている場合において、ユーザのマウス操作等が無くても、ユーザ端末３Ａまたはショッピングサーバ１が対象ウェブ画像内に描画された複数の物品すべてを、自動的に広告情報を生成する対象としてもよい。
【００７８】
また、上述した実施形態では、実際にユーザに表示される広告情報が画像である場合を説明したが、テキスト情報が含まれてもよい。また、広告情報は、テキスト情報のみであってもよい。
【００７９】
さらに、上述した第２実施形態では、属性関連情報としてテキスト情報を用いる例を説明したが、図１２の（Ｂ）に示すテキスト情報を属性情報そのものとしてもよい。すなわち属性関連情報に属性情報が含まれてもよい。
【符号の説明】
【００８０】
１…ショッピングサーバ（広告生成装置）、２…ウェブサーバ、３Ａ，３Ｂ，３Ｃ…ユーザ端末、１０…通信部（装置側受信部、装置側送信部）、１１…画像取得部、１２…広告情報生成部、１３…検索ＤＢ（記録部）、１４…商品ＤＢ（記録部）、３０…通信部（端末側受信部、端末側送信部）、３１…表示部、３２…入力部、４０…広告表示システム。
【図１】
0005710366.tif 000002
【図２】
0005710366.tif 000003
【図３】
0005710366.tif 000004
【図４】
0005710366.tif 000005
【図５】
0005710366.tif 000006
【図６】
0005710366.tif 000007
【図７】
0005710366.tif 000008
【図８】
0005710366.tif 000009
【図９】
0005710366.tif 000010
【図１０】
0005710366.tif 000011
【図１１】
0005710366.tif 000012
【図１２】
0005710366.tif 000013
【図１３】
0005710366.tif 000014
【図１４】
0005710366.tif 000015
【図１５】
0005710366.tif 000016
【図１６】
0005710366.tif 000017